(57)【要約】【課題】▲１▼大がかりなものではなく水槽に対して簡単に着脱でき、▲２▼浮遊生物が排水口に吸い込まれないフィルタを提供すること。【解決手段】水槽Ｓ内に生じた循環水流に乗って浮遊生物を移動させながら飼育するためのフィルタＦであって、水槽Ｓ内の水が、多孔板２０からほぼ均等圧で吸い込まれた後に濾材２１を通過して排水口３から水槽Ｓ外に排出され、他方、給水口１から後給水路１１に供給された水が第２給水孔１３から多孔板２０の外面に沿って噴出されるようになっており、前記循環水流に乗って多孔板２０の外面領域内に移動してきた浮遊生物が、第２給水孔１３から噴出された水により多孔板２０の外面領域外に強制的に移動せしめられるようにしてある。【選択図】  図２
2005034019.tif 000002
【特許請求の範囲】
【請求項１】
水槽内に生じた循環水流に乗って浮遊生物を移動させながら飼育するためのフィルタであって、水槽内の水が、多孔板からほぼ均等圧で吸い込まれた後に濾材を通過して排水口から水槽外に排出され、他方、給水口から後給水路に供給された水が第２給水孔から多孔板の外面に沿って噴出されるようになっており、前記循環水流に乗って多孔板の外面領域内に移動してきた浮遊生物が、第２給水孔から噴出された水により多孔板の外面領域外に強制的に移動せしめられるようにしてあることを特徴とするフィルタ。
【請求項２】
排水口と連通する濾過室を設け、前記濾過室は下開放部を多孔板で塞いで構成してあると共にその内部に、濾材及び多孔板からの水の吸い込み力を均一化する均圧手段を配置させてあり、給水口から水が供給される後給水路を形成すると共に後給水路に多孔板の外面に沿って水を噴出する第２給水孔を設けてあることを特徴とする請求項１記載のフィルタ。
【請求項３】
給水口から供給される水を循環水流方向の前後に分岐する前・後給水路を形成してあり、前給水路に、水槽内に循環水流をつくるべく水を噴出する第１給水孔を設けてあることを特徴とする請求項１又は２記載のフィルタ。
【請求項４】
第２給水孔から水の噴出方向は、循環水流方向であることを特徴とする請求項１乃至３のいずれかに記載のフィルタ。
【請求項５】
第２給水孔から噴出する水によりつくられる水流は、循環水流に合流するようになっていることを特徴とする請求項１乃至４のいずれかに記載のフィルタ。
【請求項６】
第２給水孔からの水の噴出方向は、多孔板から徐々に離れる方向に設定してあることを特徴とする請求項１乃至５のいずれかに記載のフィルタ。
【請求項７】
第２給水孔は、多孔板の幅方向に密に多数設けてあることを特徴とする請求項１乃至６のいずれかに記載のフィルタ。
【請求項８】
多孔板に形成された孔の大きさは直径０．５〜１ｍｍに設定されていることを特徴とする請求項１乃至７のいずれかに記載のフィルタ。
【請求項９】
均圧手段は、板状体であり、排水口と対向する部分は開口が無いか又は小さな開口としてあり、排水口と対向する部分から離れているところには大きな開口を形成してあることを特徴とする請求項１乃至８のいずれかに記載のフィルタ。
【請求項１０】
多孔板からの水の吸い込み力は、第２給水孔から遠ざかるにつれて徐々に小さくなっていることを特徴とする請求項１乃至９のいずれかに記載のフィルタ。
【発明の詳細な説明】
【０００１】
【発明の属する技術分野】
この発明はクリオネ、クラゲ、ウニ、鮑等の幼生期に浮遊する推さない稚貝等の浮遊生物を飼育する際に用いることができるフィルタに関するものである。
【０００２】
【従来の技術】
浮遊生物を飼育し育成するには、その浮遊生物の生活環境にあった適当な水流を水槽内で作りだして、浮遊生物が常に水中に懸垂する状態を作りだす必要がある。これは、浮遊生物は水槽において水以外のものに触れた場合、体の表面に傷がつきそれが原因で死に至るからである。
【０００３】
ここで、上記のような浮遊生物の生活環境を作り出した場合、浮遊生物を水中に浮遊させているが故に、浮遊生物が水と共に排水管に吸い込まれてしまい、浮遊生物を死に至らしめる危険性がある。
【０００４】
ところで、上記のような浮遊生物を死に至らしめる事態を回避する飼育水槽としては図７に示すようなものがある（例えば、特許文献１。）。
【０００５】
この飼育水槽は、図７に示すように、水槽９内に排水管９０を縦に設置すると共に前記排水管９０の排水孔９１が形成された外周部分をネット９２で包囲し、その排水管９０又はネット９２の周囲の水中に多数の小さな気泡９９を発生させてその気泡９９により排水孔９１を介した排水管９０への浮遊生物の流入を阻止しつつ水を槽外９に排水するようにしている。
【０００６】
ところが、上記飼育水槽は大がかりであり、浮遊生物が常に水中に浮遊させるための水流を積極的に作り出すものではない。
【０００７】
したがって、浮遊生物を飼育する水槽を取り扱う業界では、▲１▼大がかりなものではなく水槽に対して簡単に着脱でき、▲２▼浮遊生物が沈下せず水中に懸垂する状態を作る水流を簡単に作り出し、▲３▼浮遊生物が排水口に吸い込まれないフィルタが開発されることを待ち望んでいる。
【０００８】
【特許文献１】
特開平６−１８１６６３号公報
【０００９】
【発明が解決しようとする課題】
そこで、この発明では、▲１▼大がかりなものではなく水槽に対して簡単に着脱でき、▲２▼浮遊生物が排水口に吸い込まれないフィルタを提供することを課題とする。
【００１０】
また、この発明では、▲１▼大がかりなものではなく水槽に対して簡単に着脱でき、▲２▼浮遊生物が沈下せず水中に懸垂する状態を作る水流を簡単に作り出し、▲３▼浮遊生物が排水口に吸い込まれないフィルタを提供することを課題とする。
【００１１】
【課題を解決するための手段】
（請求項１記載の発明）
この発明は、水槽内に生じた循環水流に乗って浮遊生物を移動させながら飼育するためのフィルタであって、水槽内の水が、多孔板からほぼ均等圧で吸い込まれた後に濾材を通過して排水口から水槽外に排出され、他方、給水口から後給水路に供給された水が第２給水孔から多孔板の外面に沿って噴出されるようになっており、前記循環水流に乗って多孔板の外面領域内に移動してきた浮遊生物が、第２給水孔から噴出された水により多孔板の外面領域外に強制的に移動せしめられるようにしてある。
【００１２】
（請求項２記載の発明）
この発明のフィルタは、請求項１記載の発明に関し、排水口と連通する濾過室を設け、前記濾過室は下開放部を多孔板で塞いで構成してあると共にその内部に、濾材及び多孔板からの水の吸い込み力を均一化する均圧手段を配置させてあり、給水口から水が供給される後給水路を形成すると共に後給水路に多孔板の外面に沿って水を噴出する第２給水孔を設けてある。
【００１３】
（請求項３記載の発明）
この発明のフィルタは、請求項１又は２記載の発明に関し、給水口から供給される水を循環水流方向の前後に分岐する前・後給水路を形成してあり、前給水路に、水槽内に循環水流をつくるべく水を噴出する第１給水孔を設けてある。
【００１４】
（請求項４記載の発明）
この発明のフィルタは、請求項１乃至３のいずれかに記載の発明に関し、第２給水孔から水の噴出方向は、循環水流方向である。
【００１５】
（請求項５記載の発明）
この発明のフィルタは、請求項１乃至４のいずれかに記載の発明に関し、第２給水孔から噴出する水によりつくられる水流は、循環水流に合流するようになっている。
【００１６】
（請求項６記載の発明）
この発明のフィルタは、請求項１乃至５のいずれかに記載の発明に関し、第２給水孔からの水の噴出方向は、多孔板から徐々に離れる方向に設定してある。
【００１７】
（請求項７記載の発明）
この発明のフィルタは、請求項１乃至６のいずれかに記載の発明に関し、第２給水孔は、多孔板の幅方向に密に多数設けてある。
【００１８】
（請求項８記載の発明）
この発明のフィルタは、請求項１乃至７のいずれかに記載の発明に関し、多孔板に形成された孔の大きさは直径０．５〜１ｍｍに設定されている。
【００１９】
（請求項９記載の発明）
この発明のフィルタは、請求項１乃至８のいずれかに記載の発明に関し、均圧手段は、板状体であり、排水口と対向する部分は開口が無いか又は小さな開口としてあり、排水口と対向する部分から離れているところには大きな開口を形成してあることを特徴とする請求項１乃至８のいずれかに記載のフィルタ。
【００２０】
（請求項１０記載の発明）
この発明のフィルタは、請求項１乃至９のいずれかに記載の発明に関し、多孔板からの水の吸い込み力は、第２給水孔から遠ざかるにつれて徐々に小さくなっている。
【００２１】
なお、上記発明のフィルタの作用・効果については、発明の実施の形態の欄で明らかにする。
【００２２】
【発明の実施の形態】
この発明の実施形態のを図面に従って説明する。
〔実施形態１〕
図１はこの発明の実施形態のフィルタＦを水槽Ｓ内の水に漬けた状態を示す部分断面図、図２は前記フィルタＦの断面図、図３は前記フィルタＦの斜視図、図４は前記フィルタＦの正面図、図５は前記フィルタＦを構成する均圧板２２の平面図を示している。図６は前記均圧板２２を対向する側壁４に上下支持片４０，４１を介して支持している状態を示す図である。
【００２３】
（このフィルタＦの基本的な構成について）
このフィルタＦは、図１や図２に示すように、水槽Ｓ内の水を濾材２１により濾過すると同時に、第１給水孔１２及び第２給水孔１３からの水の噴出により水槽Ｓ内に循環水流をつくる形式のものであり、多孔板２０以外の部分は合成樹脂により構成されている。
【００２４】
ここで、このフィルタＦでは、図１〜図３に示すように、給水口１から供給される水を循環水流方向の前後に分岐する前・後給水路１０，１１を形成してあり、前記前・後給水路１０，１１相互間に排水口３と連通する濾過室２を設けると共に、前記濾過室２に、これの開放部から排水口３に向かって多孔板２０、濾材２１、均圧板２２の順序で配置させてある。そして、前給水路１０の下部に、水槽Ｓ内の水に循環水流をつくるべく水を噴出する第１給水孔１２を設け、後給水路１１の下部に、循環水流方向であり且つ多孔板２０の外面に沿って（外面に対して２°の角度で）水を噴出する第２給水孔１３を設けてある。
【００２５】
以下にこのフィルタＦを構成する各部材について説明する。
（給水口１〜後給水路１１〜第２給水孔１３について）
このフィルタＦでは、図２に示すように、全体が箱状に形成されており、その上壁５に設けた円管状の給水口１の下端部が、濾過室２の天壁に突設した円管状の短筒１４内の挿入されている。ここで、前記短筒１４内には樹脂繊維１５を充填してあり、給水口１から短筒１４内に供給された水が泡立つことを防止している。
【００２６】
上記短筒１４を経た水の一部は、図２に示すように、後給水路１１に流れ込み、前記後給水路１１に設けた案内板１６に案内されながら多孔板２０の外面側（図２では下面側）で第２給水孔１３から噴出せしめられるようになっている。
【００２７】
第２給水孔１３は、図２〜図４に示すように多孔板２０の幅方向に密に多数配列されており、図１や図２に示す水槽Ｓへの適正取り付け状態において、それぞれ循環水流方向に向かって上方に１０°（水平面を０°とする）傾斜させてある。また、第２給水孔１３は、直径３ｍｍの孔に設定してある。
【００２８】
（給水口１〜前給水路１０〜第１給水孔１２について）
上記のように短筒１４を経た水の他部は、図２に示すように、後給水路１０に流れ込み、第１給水孔１２から噴出せしめられるようになっている。ここで、この第１給水孔１２は、図２〜図４に示すように、多孔板２０の幅方向に多数配列されており、図１や図２に示す水槽Ｓへの適正取り付け状態において、孔芯が水平になっていると共に上記した第２給水孔１３よりも水面に近いところに位置している。なお、第１給水孔１２の孔径は、この実施形態においては４．９ｍｍに設定してある。
【００２９】
（濾過室２〜排水口３について）
濾過室２は、図２に示すように、これの上側に位置する排水口３と連通しており、下側の開放部を多孔板２０で塞いでいる。そして、図１や図２に示すように、前記濾過室２内における最上位に均圧板２２を設けると共に、前記均圧板２２と多孔板２０の間に濾材２１を設けている。
【００３０】
多孔板２０は図２や図６に示すように、左右の側板４，４に設けられた上下支持片４１，４２により挟持されており、前記上下支持片４１，４２に沿って抜き差しできるようにしてある。なお、多孔板２０は、図１や図２に示す水槽Ｓへの適正取り付け状態において、流水方向に向かって上方に１２°（水平面を０°とする）傾斜しており、多孔板２０に形成されている孔径は０．５ｍｍ、ピッチは１．５ｍｍとしてある。また、多孔板２０からの水の吸い込み力は、第２給水孔１３から遠ざかるにつれて徐々に小さくなっていることが好ましい。第２給水孔１３から噴出される水の勢いは当該第２給水孔１３から遠ざかると弱くなり、前記循環水流に乗って多孔板２０の外面領域内に移動してきた浮遊生物が、水の勢いにより多孔板２０の外面領域外に強制的に移動せしめられにくくなるからである。
【００３１】
濾材２１は、図２に示すように、濾過室２の空間の大部分を占めるものであり、一般的に使用されているものである。
【００３２】
均圧板２２は、図２や図５に示すように、板本体２３全周に直立片２４を設けてあると共に排水口３と対応する位置の周りに３本の突起２５を設けてあり、更に排水口３と対応する部分から大きく離れた位置に５個の長孔２６を穿設してある。ここで、図２に示す如く、濾過室２の天板にこの均圧板２２の直立片２４及び突起２５を当接させた適正設置状態では、板本体２３と濾過室２の天板との間には隙間ｇが形成されることになり、濾材２１を通った水は前記隙間ｇを介して排水口３から水槽Ｓ外へ排出されるようにしてある。
【００３３】
（その他について）
水槽Ｓ内の水を濾材２１により濾過すると同時に、第１給水孔１２及び第２給水孔１３からの水の噴出により水槽Ｓ内に循環水流をつくるため、図１に示す如く、ポンプＰが用いられており、ポンプＰの吐出側はチューブｔ１を介して給水口１と接続され、ポンプＰの吸引側はチューブｔ２を介して排水口３と接続されている。
【００３４】
（このフィルタＦの優れた作用・効果について）
▲１▼．大がかりなものではなく水槽に対して簡単に着脱できること
このフィルタＦは、基本的には通常のフィルタとほとんど大きさが変わるものではないから小型であり、例えば、吸盤等を具備させることにより、水槽Ｓに対して簡単に着脱できる。
【００３５】
▲２▼．浮遊生物が沈下せず水中に懸垂する状態を作る水流を簡単に作り出すこと
このフィルタＦでは、図１や図２に示すように、第１給水孔１２から水が噴出することにより生ずる水流と、第２供給孔１３から水が噴出することにより生ずる水流とが合流し、水槽Ｓ内において白抜き矢印で示す水流が発生する。
【００３６】
つまり、このフィルタＦでは、浮遊生物が沈下せず水中に懸垂する状態を作る水流を簡単に作り出すことができる。
【００３７】
なお、浮遊生物が沈下せず水中に懸垂する状態を作る水流の速度は、５〜１０ｃｍ／秒程度とすることが好ましく、この操作は単位時間当りの給水・排水処理量と、第１給水孔１２及び第２給水孔１３の直径及び個数とを調整することにより達成される。
【００３８】
▲３▼．浮遊生物が排水口に吸い込まれないこと
このフィルタＦでは、図２や図５に示すように、排水口３と均圧板２２の長孔２６とは平面視でズレているから、排水口３への排水力が直接的に多孔板２２のごく一部分に作用することはなく、多孔板２２の全孔からの排水力は均等化される。
【００３９】
また、このフィルタＦでは、図１や図２に示す水槽Ｓへの適正取り付け状態において、多孔板２０は循環流水方向に向かって上方に１２°（水平面を０°とする）傾斜しており、他方、第２給水孔１３は循環水流方向に向かって上方に１０°（水平面を０°とする）傾斜させてある。このため、前記第２給水孔１３からの水の噴出は多孔板２０の外面側（下面）に対して２°の角度をもってなされることになる。
【００４０】
したがって、循環水流に乗って多孔板２０の外面側（下面）に至った浮遊生物は第２給水孔１３からの水の噴出により、多孔板２０の孔に吸い込まれることなく多孔板２０の外面側から素早く離れる方向に移動せしめられることになり、その結果、浮遊生物は排水口（多孔板２０の孔）に吸い込まれないことになる。
【００４１】
なお、上記の如く浮遊生物が排水口３に吸い込まれないようにするためには、水が均圧板２２の全ての孔からほぼ均等圧で吸い込まれるようにしなければならないが、これは単位時間当りの給水・排水処理量と、多孔板２０の孔径と、第２給水孔１３の直径とを調整することにより達成される。
【００４２】
▲４▼．上述した如く、このフィルタＦを使用した場合、浮遊生物が沈下せず水中に懸垂する状態を作る水流を簡単に作り出し、且つ浮遊生物が排水口に吸い込まれない。
〔他の実施形態〕
上記実施形態のフィルタＦでは給水口１から供給される水を循環水流方向の前後に分岐する前・後給水路１０，１１を形成してあり、前給水路１０に、水槽Ｓ内に循環水流をつくるべく水を噴出する第１給水孔１２を設けているが、これに限定されることなく、前給水路１０及び第１給水孔１２を設けず、別に水槽Ｓ内に循環水流をつくるべく水を噴出するノズルを設けるようにしてもよい。
【００４３】
また、第２給水孔１３は、図１や図２に示す水槽Ｓへの適正取り付け状態において、それぞれ循環水流方向に向かって上方に０〜１２°（水平面を０°とする）傾斜させるようにすることが好ましい。多孔板２０は、図１や図２に示す水槽Ｓへの適正取り付け状態において、循環水流方向に向かって上方に０〜１７°（水平面を０°とする）傾斜させるようにすることが好ましい。この場合、第２給水孔１３の角度は多孔板２０の角度より０〜５°程度（更に好ましくは２〜３°）小さくすることが好ましい。
【００４４】
更に、多孔板２０に形成された孔は、０．５〜１ｍｍ程度の径と、ピッチは１〜１．５ｍｍとすることが好ましい。
【００４５】
そして、均圧手段として均圧板２２を使用しているが、上記実施形態１にかえて、排水口と対向する部分付近の開口は小さな開口としてあり、排水口と対向する部分から離れているところには大きな開口を形成したものでもよい。均圧手段としては、均圧板２２に限られるものではなく、パイプ等を利用して均圧化をはかるものでもよい。
【００４６】
【発明の効果】
この発明は上記のような構成であるから次の効果を有する。
【００４７】
発明の実施の形態の欄に記載した内容から、この発明では、▲１▼大がかりなものではなく水槽に対して簡単に着脱でき、▲２▼浮遊生物が排水口に吸い込まれないフィルタを提供できた。
【００４８】
また、この発明では、▲１▼大がかりなものではなく水槽に対して簡単に着脱でき、▲２▼浮遊生物が沈下せず水中に懸垂する状態を作る水流を簡単に作り出し、▲３▼浮遊生物が排水口に吸い込まれないフィルタを提供できた。
【図面の簡単な説明】
【図１】この発明の実施形態のフィルタを水槽内の水に漬けた状態を示す部分断面図。
【図２】前記フィルタの断面図。
【図３】前記フィルタの斜視図。
【図４】前記フィルタの正面図。
【図５】前記フィルタを構成する均圧板の平面図。
【図６】前記フィルタを構成する多孔板を上下支持片で支持している状態を示す説明図。
【図７】先行技術のフィルタが使用された循環式水槽の断面図。
【符号の説明】
Ｓ        水槽
Ｆ        フィルタ
１        給水口
２        濾過室
３        排水口
１０      前給水路
１１      後給水路
１２      第１給水孔
１３      第２給水孔
２０      多孔板
２１      濾材
２２      均圧板
【図１】
2005034019.tif 000003
【図２】
2005034019.tif 000004
【図３】
2005034019.tif 000005
【図４】
2005034019.tif 000006
【図５】
2005034019.tif 000007
【図６】
2005034019.tif 000008
【図７】
2005034019.tif 000009